(57)【要約】【課題】  内ドアを閉鎖せずに外ドアを閉鎖操作し、外ドアを完全に閉鎖する前に、外ドアを開放操作した場合でも、内ドアが販売機本体から引き出せなくなったり、変形したりするのを防止することができる自動販売機のドア装置を提供する。【解決手段】販売機本体２の前面を開閉する自動販売機１のドア装置であって、回動軸２１ａを中心として、販売機本体２の前面を開閉する回動自在の外ドア２２と、回動軸２１ａ付近の回動軸２３ａを中心として、外ドア２２の背面を開閉する回動自在の内ドア２４と、内ドア２４を外ドア２２に係止する内ドア係止機構４３、４７と、内ドア２４が閉鎖位置に位置していない状態で外ドア２２が閉鎖操作されるとともに、内ドア２４が内ドア係止機構４３、４７により外ドア２２に係止される前に外ドア２２が開放操作されたときに、内ドア２４を販売機本体２の前方へ送り出す内ドア送出し機構５０と、を備えている。【選択図】  図２
2005222219.tif 000002
【特許請求の範囲】
【請求項１】
販売機本体の前面を開閉する自動販売機のドア装置であって、
前記販売機本体の左右方向の一方の端部に、上下方向に延びる第１軸線を中心として回動自在に取り付けられ、前記販売機本体の前面を開閉する外ドアと、
この外ドアの背面に、前記第１軸線付近の上下方向に延びる第２軸線を中心として回動自在に取り付けられ、前記外ドアの背面を開閉する内ドアと、
この内ドアが前記外ドアの背面を閉鎖する閉鎖位置に位置している状態で、当該内ドアを前記外ドアに係止する内ドア係止機構と、
前記販売機本体に設けられ、前記内ドアが前記閉鎖位置に位置していない状態で、前記外ドアが閉鎖されたときに、前記内ドアが当接し、この当接による反力により、当該内ドアを前記閉鎖位置に回動させる内ドア閉鎖部と、
前記内ドアが前記閉鎖位置に位置していない状態で前記外ドアが閉鎖操作されるとともに、前記内ドアが前記内ドア係止機構により前記外ドアに係止される前に前記外ドアが開放操作されたときに、前記内ドアを前記販売機本体の前方へ送り出す内ドア送出し手段と、
を備えていることを特徴とする自動販売機のドア装置。
【請求項２】
前記内ドア送出し手段は、
前記内ドアの前記第２軸線と反対側の左右方向の端部に設けられ、当該内ドアの側方に突出する突出位置と、この突出位置よりも前記第２軸線側に後退する後退位置との間で移動自在の可動部と、
この可動部を前記突出位置側に付勢する付勢手段と、
前記販売機本体の前記可動部に対向する側壁に設けられ、前記外ドアが開閉される際に、前記可動部が押圧された状態で当接するとともに、当該可動部を案内しながら、前記付勢手段による付勢力によって、前記内ドアを前記販売機本体の前方へ送り出す内ドア案内部と、
を有していることを特徴とする請求項１に記載の自動販売機のドア装置。
【請求項３】
前記内ドア案内部は、前後方向に延びるとともに、前方に向かって外方に傾斜した傾斜面を有していることを特徴とする請求項２に記載の自動販売機のドア装置。
【発明の詳細な説明】
【技術分野】
【０００１】
本発明は、販売機本体の前面を開閉する自動販売機のドア装置に関し、より具体的には、販売機本体の左右方向の一端部に回動自在に取り付けられた外ドアと、この外ドアの背面に回動自在に取り付けられた内ドアとを有する自動販売機のドア装置に関する。
【背景技術】
【０００２】
従来、この種の自動販売機のドア装置として、特許文献１に記載されたものが知られている。このドア装置は、前面が開口するとともに内部に商品収納部を有する縦長ボックス状の販売機本体の左端部に、上下方向に延びる軸線を中心に回動自在に取り付けられた外ドアと、この外ドアの背面に、前記軸線付近の上下方向に延びる軸線を中心に回動自在に取り付けられた内ドアとを備えている。前者は、販売機本体の前面を開閉する一方、後者は、外ドアの背面を開閉するとともに外ドア側の面に着脱自在の商品ディスプレイを有している。
【０００３】
このドア装置の内ドアは、商品ディスプレイのメンテナンスを行う際に開閉されるものであり、具体的には次のようにして、メンテナンス作業が行われる。まず、外ドアを販売機本体の前方へ大きく開放する。この場合、内ドアは、外ドアの背面を閉鎖した状態のまま、外ドアと一体に販売機本体の前方に回動する。次いで、内ドアを販売機本体側に回動させ、開放する。これにより、内ドアに設けられた商品ディスプレイが外部に露出し、商品サンプルや商品パネルを交換したり、清掃したりする。そして、メンテナンス作業の終了後、内ドアを外ドア側へ回動させ、その背面を閉鎖した状態で、内ドアを外ドアに係止する。その後、外ドアを販売機本体側へ回動させることにより、外ドアを閉鎖する。
【０００４】
このようなドア装置は一般に、内ドアが外ドアを閉鎖した状態で係止されていない場合でも、外ドアの閉鎖に伴い、内ドアを外ドア側に強制的に押圧し、外ドアを閉鎖した状態で外ドアに自動的に係止する内ドア閉鎖機構などを備えている。したがって、商品ディスプレイのメンテナンス作業の終了後、作業者が内ドアを意図的に閉鎖せずに、あるいは閉鎖し忘れたまま、外ドアを閉鎖した場合でも、内ドア閉鎖機構により、内ドアが外ドアの背面を閉鎖した状態で、外ドアに係止される。
【０００５】
しかし、内ドアを閉鎖しない状態で外ドアを閉鎖する場合には、次のような問題が生じることがある。すなわち、自動販売機が内ドア閉鎖機構を備えていることを知らない作業者や、自動販売機のドア操作に不慣れな作業者が、内ドア閉鎖機構による内ドアの自動閉鎖が実行される直前に、内ドアを閉鎖し忘れたことに気付き、外ドアを開放すると、内ドアの自由端側が販売機本体の側壁に当たり、その側壁が邪魔になって、内ドアを販売機本体の前方に引き出せなくなってしまうことがある。これは、内ドアの回動の中心が外ドアのそれよりも内方に位置しているために、上述した状況で外ドアを開放する際に、内ドアの自由端側が外方に膨らむように、内ドアが回動するからである。また、内ドアが販売機本体の側壁に当たった状態のまま、外ドアを無理矢理開放すると、内ドアが変形するおそれもある。
【０００６】
本発明は、以上のような課題を解決するためになされたものであり、内ドアを閉鎖せずに外ドアを閉鎖操作し、外ドアを完全に閉鎖する前に、外ドアを開放操作した場合でも、内ドアが販売機本体から引き出せなくなったり、変形したりするのを防止することができる自動販売機のドア装置を提供することを目的とする。
【０００７】
【特許文献１】特開平１０−２３２９６９号公報
【発明の開示】
【課題を解決するための手段】
【０００８】
本発明の請求項１に係る自動販売機のドア装置は、販売機本体の前面を開閉する自動販売機のドア装置であって、販売機本体の左右方向の一方の端部に、上下方向に延びる第１軸線を中心として回動自在に取り付けられ、販売機本体の前面を開閉する外ドアと、この外ドアの背面に、第１軸線付近の上下方向に延びる第２軸線を中心として回動自在に取り付けられ、外ドアの背面を開閉する内ドアと、この内ドアが外ドアの背面を閉鎖する閉鎖位置に位置している状態で、内ドアを外ドアに係止する内ドア係止機構と、販売機本体に設けられ、内ドアが閉鎖位置に位置していない状態で、外ドアが閉鎖されたときに、内ドアが当接し、この当接による反力により、内ドアを閉鎖位置に回動させる内ドア閉鎖部と、内ドアが閉鎖位置に位置していない状態で外ドアが閉鎖操作されるとともに、内ドアが内ドア係止機構により外ドアに係止される前に外ドアが開放操作されたときに、内ドアを販売機本体の前方へ送り出す内ドア送出し手段と、を備えていることを特徴とする。
【０００９】
この構成によれば、販売機本体の前面を開閉する外ドアは、販売機本体の左右方向の一端部の上下方向に延びる第１軸線を中心として回動する一方、外ドアの背面を開閉する内ドアは、第１軸線付近の上下方向に延びる第２軸線を中心として回動する。内ドアが外ドアの背面を閉鎖する閉鎖位置に位置していない状態で、外ドアが閉鎖されたときには、内ドアが、販売機本体の内ドア閉鎖部に当接し、その当接による反力により、閉鎖位置に回動する。そして、外ドアを完全に閉鎖した状態では、内ドア係止機構により、内ドアが外ドアに係止される。一方、内ドアが閉鎖位置に位置していない状態で外ドアが閉鎖操作されるとともに、内ドアが内ドア係止機構により外ドアに係止される前、すなわち、外ドアが完全に閉鎖される前に、外ドアが開放操作されたときには、内ドア送出し手段により、内ドアが販売機本体の前方へ送り出される。したがって、例えば、自動販売機のドア操作に不慣れな作業者が、内ドアを閉鎖せずに外ドアを閉鎖操作し、外ドアを完全に閉鎖する前に、外ドアを開放操作した場合でも、内ドアが販売機本体の前方へ送り出されるので、従来と異なり、内ドアが販売機本体から引き出せなくなったり、変形したりするのを防止することができる。
【００１０】
請求項２に係る発明は、請求項１の自動販売機のドア装置において、内ドア送出し手段は、内ドアの第２軸線と反対側の左右方向の端部に設けられ、内ドアの側方に突出する突出位置と、この突出位置よりも第２軸線側に後退する後退位置との間で移動自在の可動部と、この可動部を突出位置側に付勢する付勢手段と、販売機本体の可動部に対向する側壁に設けられ、外ドアが開閉される際に、可動部が押圧された状態で当接するとともに、可動部を案内しながら、付勢手段による付勢力によって、内ドアを販売機本体の前方へ送り出す内ドア案内部と、を有していることを特徴とする。
【００１１】
この構成によれば、内ドアが閉鎖位置に位置していない状態で外ドアが閉鎖操作されると、内ドアの第２軸線と反対側の左右方向の端部に設けられた可動部が、これに対向する販売機本体の側壁に設けられた内ドア案内部に当接し、付勢手段の付勢力に抗して、後退位置側に押圧される。この場合、内ドアは、可動部を介して内ドア案内部から、付勢手段の付勢力による反力を受け、この反力の分力が内ドアを販売機本体の前方へ送り出すように作用する。したがって、上記のように構成された内ドア送出し手段により、上記請求項１の作用、効果を容易かつ確実に実現することができる。
【００１２】
請求項３に係る発明は、請求項２の自動販売機のドア装置において、内ドア案内部は、前後方向に延びるとともに、前方に向かって外方に傾斜した傾斜面を有していることを特徴とする。
【００１３】
この構成によれば、可動部が内ドア案内部の上記傾斜面に当接することにより、内ドアが内ドア案内部から受ける反力のうち、内ドアを前方へ送り出す分力がより大きくなるので、内ドアの前方への送り出しをより確実に行うことができる。
【図面の簡単な説明】
【００１４】
【図１】本発明の実施形態によるドア装置を適用した自動販売機の外観を示す斜視図である。
【図２】図１の自動販売機のメインドアを開放した状態を示す斜視図である。
【図３】図２の自動販売機の平面図であり、（ａ）は内ドアを閉鎖した状態、（ｂ）は内ドアを開放した状態を示している。
【図４】図２の円Ａ内の係止金具を拡大して示す図であり、（ａ）は斜視図、（ｂ）〜（ｄ）は、内ドアを閉鎖する際の係止金具の動作を順に示す説明図である。
【図５】図２の円Ｂ内の内ドア送出し機を拡大して示す図であり、（ａ）は斜視図、（ｂ）は平面図、（ｃ）は正面図である。
【図６】図２の円Ｃ内の内ドア案内プレートを拡大して示す図であり、（ａ）は斜視図、（ｂ）は平面図、（ｃ）は正面図である。
【図７】内ドアを内ドア閉鎖位置以外に位置させた状態で、外ドアを閉鎖する際の内ドアの動作を説明するための説明図である。
【図８】図７に続く説明図であり、（ａ）は、内ドア送出し機が内ドア案内プレートに当接する直前の状態を示し、（ｂ）は、内ドア送出し機が内ドア案内プレートを摺動する状態を示す。
【図９】図８に続く説明図であり、（ａ）は、メインドアを完全に閉鎖した状態を示し、（ｂ）は、内ドアが外ドアに係止される前に、外ドアを開放した状態を示す。
【図１０】（ａ）および（ｂ）は、図８（ａ）および（ｂ）にそれぞれ対応し、内ドア送出し機および内ドア案内プレートを拡大して示す図である。
【図１１】（ａ）および（ｂ）は、図９（ａ）および（ｂ）にそれぞれ対応し、内ドア送出し機および内ドア案内プレートを拡大して示す図である。
【発明を実施するための最良の形態】
【００１５】
以下、図面を参照しながら、本発明の好ましい実施形態を詳細に説明する。図１は、本発明の一実施形態によるドア装置を適用した自動販売機を示している。同図に示すように、この自動販売機１は、たばこなどの箱型の商品を販売するものであり、前面が開口した縦長ボックス状の販売機本体２と、この販売機本体２の前面を開閉するメインドア３とを備えている。
【００１６】
図２に示すように、販売機本体２は、鉄板などの金属板を組立加工して形成され、前面が開口した縦長ボックス状のケース４と、このケース４に内蔵され、多数の商品を収納するとともに販売時に商品を１つずつ払い出す商品収納払出し装置５Ａとを有している。この商品収納払出し装置５Ａは、上下方向に延びるとともに、ケース４内の左右方向の幅一杯に並設された複数（例えば１０個）の商品コラム６Ａと、各商品コラム６Ａごとに、その上下方向の中間部および下端部にそれぞれ設けられた商品払出し装置７Ａ、７Ａとを有している。各商品コラム６Ａは、前面が開口しており、商品が前方から補充可能に構成されている。そして、商品コラム６Ａ内では、多数の商品が横倒しでかつ上下方向に積み重なった状態で収納され、上段および下段の最下位の商品がそれぞれ、上下の商品払出し装置７Ａ、７Ａに載置される。つまり、この商品収納払出し装置５Ａは、各商品コラム６Ａに、互いに異なる銘柄の商品を、上段および下段にそれぞれ収納し、払い出し可能に構成されている。
【００１７】
また、商品収納払出し装置５Ａの前面には、各商品コラム６Ａの前面を開閉自在の前面ドア８（内ドア閉鎖部）が設けられている。この前面ドア８は、各商品コラム６Ａごとに、あるいはすべての商品コラム６Ａを同時に開閉できるようになっている。なお、前面ドア８の上段の記商品払出し装置７Ａの付近には、商品コラム６Ａの上段に収納された商品を払い出すための開口部８ａが形成されている。
【００１８】
また、商品収納払出し装置５Ａは、図２および図３に示すように、ケース４の前面との間に、所定の奥行き寸法を有するスペース１１を存した状態で、すなわち、ケース４内の奥まった位置に配置されている。また、ケース４内のスペース１１の下方には、販売時に商品収納払出し装置５Ａおよびメインドア３側の後述する商品収納払出し装置５Ｂから払い出された商品を、商品取出口１２に案内するシュート１３が設けられている。
【００１９】
メインドア３は、ケース４の左前端部に、上下の外ドア用ヒンジ２１（図１、２では上側のヒンジのみ図示）を介して回動自在に取り付けられた外ドア２２と、この外ドア２２の背面側に、上記外ドア用ヒンジ２１側の左右方向の端部に設けられた複数の内ドア用ヒンジ２３（図３において１つのみ図示）を介して回動自在に取り付けられた内ドア２４とで構成されている。外ドア用ヒンジ２１および内ドア用ヒンジ２３はそれぞれ、上下方向に互いに平行に延びる回動軸２１ａ（第１軸線）および回動軸２３ａ（第２軸線）を有している。したがって、図３に示すように、外ドア２２は、回動軸２１ａを中心として、同図（ａ）の実線で示す外ドア開放位置と、２点鎖線で示す外ドア閉鎖位置との間で回動可能であり、一方、内ドア２２は、回動軸２３ａを中心として、同図（ｂ）の実線で示す内ドア開放位置と、２点鎖線で示す内ドア閉鎖位置（閉鎖位置）との間で回動可能である。
【００２０】
外ドア２２は、正面形状が縦長矩形状の外ドア本体３０と、その背面側に設けられ、上述した販売機本体２内の商品収納払出し装置５Ａと同様に構成された商品収納払出し装置５Ｂとを有している。図１に示すように、外ドア本体３０の前面の上半部には、多数の商品サンプル３１を展示した商品ディスプレイ３２が設けられるとともに、各商品サンプル３１の下方にそれぞれ、商品選択ボタン３３が配置されている。また、外ドア本体３０の前面の右端部には、紙幣挿入口３４、硬貨投入口３５および返却レバー３６が設けられるとともに、それらの下方に、硬貨返却口３７が設けられている。さらに、外ドア本体３０の前面の下部には、上記商品取出口１２が設けられている。なお、硬貨投入口３５の上方には、商品補充やメンテナンスを行う際に、メインドア３を開放するための錠付きのドアレバー３８が設けられている。
【００２１】
図２に示すように、外ドア２２の商品収納払出し装置５Ｂは、上下方向に延びるとともに、外ドア本体３０の左右方向に並設された複数（例えば９個）の商品コラム６Ｂと、各商品コラム６Ｂごとに、その上下方向の中間部および下端部にそれぞれ設けられた商品払出し装置７Ｂ、７Ｂとを有している。各商品コラム６Ｂは、外ドア本体３０と反対側の面である背面が開口しており、多数の商品が、上記販売機本体２側の商品コラム６Ａと同様に収納される。
【００２２】
なお、詳説は省略するが、外ドア２２の商品収納払出し装置５Ｂは、外ドア本体３０の背面を開閉可能に構成されており、商品ディスプレイ３２のメンテナンスや商品サンプル３１の交換などを行う際に、メインドア３を開放した状態で開閉される。
【００２３】
一方、内ドア２４は、上記商品収納払出し装置５Ｂに、そのほぼ下半部を覆うように、前記内ドア用ヒンジ２３を介して取り付けられている。この内ドア２４は、正面形状が矩形状の内ドア本体４１と、商品収納払出し装置５Ｂの反対側の面の上端部に、水平に突出するように取り付けられ、平面形状が台形状のスペーサ４２とを有している。内ドア本体４１は、商品収納払出し装置５Ｂの上段の商品払出し装置７Ｂよりも高い位置と、下段の商品払出し装置７Ｂよりも若干高い位置との間で上下方向に延びている。また、内ドア本体４１の上端部には、スペーサ４２の下方に、上段の商品払出し装置７Ｂに対応した横長の開口部４１ａが形成されている。この開口部４１ａを介して、商品コラム６Ｂの上段に収納された商品が払い出される一方、商品コラム６Ｂの下段に収納された商品が内ドア本体４１の下方から払い出される。
【００２４】
また、内ドア本体４１の内ドア用ヒンジ２３と反対側の左右方向の端部である自由端部には、内ドア２４を外ドア２２に係止するための係止金具４３が取り付けられている。この係止金具４３は、図４（ａ）に示すように、ほぼＬ字状の金属板からなり、上下方向に延びるスライド部４４と、その下端部から直角に延びるロック部４５を有している。スライド部４４には、上下２つの長孔４４ａ、４４ａが形成されており、これらにそれぞれ遊挿された取付ねじ４６、４６によって、係止金具４３が上下方向にスライド自在に内ドア本体４１に取り付けられている。一方、ロック部４５は、下方に開口した係止凹部４５ａと、この係止凹部４５ａから先端に向かって斜め上に傾斜した傾斜部４５ｂとを有している。また、この係止金具４３は、図示しないばねよって、下方に付勢されている。
【００２５】
図２および図４（ｂ）に示すように、外ドア２２（商品収納払出し装置５Ｂ）の自由端部には、上記係止金具４３に対応する位置に、開口部４７ａを有する係止受け金具４７が固定されている。したがって、内ドア２４を閉鎖する際には、内ドア２４が商品収納払出し装置５Ｂ側に回動することにより、同図（ｂ）〜（ｄ）に順に示すように、係止金具４３がばねの付勢力に抗して上昇した後、下降することによって、係止金具４３の係止凹部４５ａが、係止受け金具４７の開口部４７ａの下縁部に係合する。これにより、内ドア２４は、内ドア閉鎖位置で外ドア２２に係止される。このように、本実施形態では、本発明の内ドア係止機構が、上記係止金具４３および係止受け金具４７などによって構成されている。
【００２６】
また、内ドア２４は、商品補充などの作業者自身が内ドア２４を内ドア閉鎖位置まで回動させることで、外ドア２２に係止される他、内ドア２４が内ドア閉鎖位置に位置していない状態で、作業者自身が外ドア２２を外ドア閉鎖位置まで回動させることによっても、外ドア２２に係止される。すなわち、外ドア２２を外ドア閉鎖位置に回動させると、内ドア２４のスペーサ４２が、販売機本体２側の商品収納払出し装置５Ａの前面ドア８に当接し、この当接による反力によって、内ドア２４が、外ドア２２側の商品収納払出し装置５Ｂ側に押圧され、これにより、内ドア２４が、内ドア閉鎖位置まで回動し、外ドア２２に係止される。
【００２７】
このように、本実施形態の自動販売機１では、内ドア２４を閉鎖しない状態で、外ドア２２を閉鎖操作し、完全に閉鎖した場合には、内ドア２４が外ドア２２の背面を閉鎖した状態で、これに係止される。そして、この状態では、販売機本体２内のスペース１１において、内ドア２４の内ドア本体４１および商品収納払出し装置５Ａの前面ドア８をそれぞれ、前壁および後壁とする商品通路が画成される。これらの内ドア本体４１および前面ドア８の互いに対向する面はいずれも、平滑に形成されており、したがって、販売時に商品コラム６Ａ、６Ｂから払い出された商品は、商品通路内で引っかかったり、詰まったりすることなく、シュート１３上に落下する。
【００２８】
以上のように構成された内ドア２４を有する自動販売機１には、内ドア２４が内ドア閉鎖位置に位置していない状態、すなわち内ドア２４が外ドア２２に係止されていない状態で、外ドア２２が閉鎖操作される場合において、外ドア２２が完全に閉鎖される前に、外ドア２２が開放操作されたときに、内ドア２４を販売機本体２の前方へ送り出す内ドア送出し機構５０（内ドア送出し手段）が設けられている。具体的には、この内ドア送出し機構５０は、内ドア２４の自由端部の端面に取り付けられた内ドア送出し機５１と、上記ケース４の右側壁４ａの内面に取り付けられた内ドア案内プレート５２（内ドア案内部）とで構成されている。
【００２９】
内ドア送出し機５１は、図５に示すように、ベースプレート５３と、このベースプレート５３に回動自在に取り付けられた回動プレート５４とを備えており、これらはいずれも、所定形状の鉄板などの金属板を曲げ加工することなどで形成されている。ペースプレート５３は、内ドア送出し機５１自体を、内ドア２４に取り付けるため取付部５５と、この取付部５５の一端部（図５（ｂ）、（ｃ）の左端部）から連なり、回動プレート５４が当接することにより、これに取り付けられた後述する当接ローラ６１を突出位置に規制するストッパ部５６とで構成されている。
【００３０】
取付部５５のストッパ部５６と反対側の端部には、上下方向に並んだ３つの取付孔５５ａが形成されており、これらの取付孔５５ａにそれぞれ挿入された取付ねじ（図示せず）によって、内ドア送出し機５１が、内ドア２４の自由端部の下端部にねじ止めされている。また、取付部５５の左右方向の中間部には、上下方向に延びるシャフト５７の上下端部をそれぞれ支持する上下一対の支持部５５ｂ、５５ｂが設けられている。一方、ストッパ部５６は、取付部５５の一端部から回動プレート５４側に直角に屈曲して延び、さらにその先端部５６ａが取付部５５の他端部側に直角に屈曲している。なお、このストッパ部５６は、取付部５５よりも下方まで延びている。
【００３１】
一方、回動プレート５４は、上記シャフト５７が遊挿された状態で、これに回動自在に支持された基端部５８と、この基端部５８のシャフト５７と反対側の端部から、所定角度屈曲して連なる屈曲部５９とで構成されている。屈曲部５９の先端部には、販売機本体２側の上記内ドア案内プレート５２に当接可能な当接ローラ６１（可動部）が設けられている。当接ローラ６１は、シャフト５７と平行に上下方向に延びる回転軸６１ａを中心として回転自在に構成されている。また、この当接ローラ６１は、シャフト５７を中心として、回動プレート５４を介して、内ドア２４の側方に突出する突出位置（図５（ｂ）の実線で示す位置）と、内ドア２４の内ドア用ヒンジ２３側に後退する後退位置（同図（ｂ）の２点鎖線で示す位置）との間で、回動可能に構成されている。
【００３２】
また、上記シャフト５７には、ねじりコイルばね６２（付勢手段）が設けられており、このばね６２によって、回動プレート５４が図５（ｂ）の反時計方向に付勢されている。回動プレート５４は、ベースプレート５３のストッパ部５６の先端部５６ａに当接し、これを越えて、同図（ｂ）の反時計方向に回動不能になっており、したがって、回動プレート５４に外力が作用していない状態では、当接ローラ６１が突出位置に付勢された状態で保持される。なお、シャフト５７の下端部には、当接ローラ６１と同じサイズの補助ローラ６３が回転自在に設けられている。
【００３３】
図６は、内ドア案内プレート５２を示している。この内ドア案内プレート５２は、所定形状の鉄板などの金属板を曲げ加工することなどで形成されており、内ドア案内プレート５２自体をケース４の右側壁４ａに取り付けるための取付部７１と、この取付部７１から連なり、前方（同図（ｂ）、（ｃ）の右方）に延びる案内部７２とで構成されている。取付部７１には、互いに間隔を存して配置された３つの取付孔７１ａが形成されており、これらの取付孔７１ａにそれぞれ挿入された取付ねじ（図示せず）によって、内ドア案内プレート５２が、ケース４の右側壁４ａの内面にねじ止めされている。また、取付部７１の下端部には、案内部７２の下方をとおり、案内部７２よりも内方に突出した突出部７１ｂが設けられている。一方、案内部７２は、取付部７１から前方に帯状に延びており、前方に向かってケース４の右側壁４ａに接近するように傾斜した傾斜部７２ａ（傾斜面）と、この傾斜部７２ａの前端部から若干屈曲し、ケース４の右側壁４ａに沿って前方に延びる延設部７２ｂとを有している。なお、この延設部７２ｂの前端部は、ケース４の右側壁４ａ側に直角に屈曲している。
【００３４】
次に、図７〜１１を参照しながら、内ドア２４を閉鎖しない状態で、外ドア２２を閉鎖操作する際の内ドア２４の動作を説明する。図７は、メインドア３を大きく開放した状態を示しており、より具体的には、外ドア２２が外ドア開放位置に位置する一方、内ドア２４が若干開放している状態を示している。この状態からまず、外ドア２２を販売機本体２側に向かって押圧する。これにより、外ドア２２が外ドア閉鎖位置に向かって回動する。この場合、内ドア２４は、内ドア送出し機５１の当接ローラ６１が販売機本体２側の内ドア案内プレート５２に当接するまで、外ドア２２の閉鎖操作の開始当初とほぼ同じ角度を保持したまま、外ドア２２とともに回動する。また、図８（ａ）およびこれに対応する図１０（ａ）に示すように、当接ローラ６１が内ドア案内プレート５２に当接する直前では、突出位置に位置する当接ローラ６１が、内ドア案内プレート５２の延設部７２ｂよりも、右方に若干突出している。したがって、当接ローラ６１が内ドア案内プレート５２に当接する際にはまず、延設部７２ｂの前端に当接する。
【００３５】
次いで、当接ローラ６１が内ドア案内プレート５２に当接後、外ドア２２を販売機本体２側にさらに押圧するすると、図８（ｂ）およびこれに対応する図１０（ｂ）に示すように、外ドア２２が外ドア閉鎖位置側にさらに回動するのに伴い、内ドア２４全体が左方へ移動するとともに、内ドア送出し機５１の当接ローラ６１が、内ドア案内プレート５２の延設部７２ｂおよび傾斜部７２ａ上を順に転動する。この場合、当接ローラ６１は、内ドア案内プレート５２から押圧され、これにより、ねじりコイルばね６２の付勢力に抗して、後退位置側に回動する。
【００３６】
そして、図９（ａ）に示すように、外ドア２２を販売機本体２側にさらに押圧し、外ドア２２が外ドア閉鎖位置に到達して完全に閉鎖されると、内ドア２４のスペーサ４２が商品収納払出し装置５Ａの前面ドア８に当接することにより、内ドア２４が内ドア閉鎖位置に回動し、係止金具４３により、外ドア２２に係止される。この場合、図９（ａ）に対応する図１１（ａ）に示すように、内ドア送出し機５１のストッパ部５６が、内ドア案内プレート５２の突出部７１ｂに当接する。なお、内ドア２４が外ドア２２に係止された状態で、外ドア２２を開放したときには、内ドア２４は、外ドア２２と一体に、販売機本体２の前方へ回動する。
【００３７】
一方、図８（ｂ）の状態から、上記とは逆に、外ドア２２が開放操作されると、図９（ｂ）に示すように、内ドア２４は、外ドア２２の開放に伴い、内ドア送出し機５１によって販売機本体２の前方へ送り出される。このように、内ドア２４が前方に送り出されるのは次の理由による。すなわち、図８（ｂ）および図１０（ｂ）に示すように、内ドア送出し機５１の当接ローラ６１が、内ドア案内プレート５２の傾斜部７２ａに当接し、ねじりコイルばね６２の付勢力に抗して後退位置側に押圧された状態では、傾斜部７２ａから当接ローラ６１に対し、ねじりコイルばね６２の突出位置側への復元力の反力が作用する。そして、この反力の分力が、内ドア２４を、内ドア用ヒンジ２３の回動軸２３ａを中心として時計方向に回動させる方向、すなわち販売機本体２の前方へ回動させる方向に作用する。これにより、図８（ｂ）の状態から、外ドア２２が開放されたときには、内ドア２４は、販売機本体２の前方へ送り出される。
【００３８】
以上詳述したように、本実施形態によれば、内ドア２４を閉鎖しない状態で、外ドア２２を閉鎖操作する際に、外ドア２２を完全に閉鎖する前に、外ドア２２を開放操作した場合には、内ドア送出し機５１および内ドア案内プレート５２の協働により、内ドア２４が販売機本体２の前方へ送り出される。したがって、例えば、自動販売機のドア操作に不慣れな作業者が、内ドア２４を閉鎖せずに外ドア２２を閉鎖操作し、外ドア２２を完全に閉鎖する前に、外ドア２２を開放操作した場合でも、従来と異なり、内ドア２４が販売機本体２から引き出せなくなったり、変形したりするのを防止することができる。
【００３９】
なお、本発明は、説明した上記実施形態に限定されることなく、種々の態様で実施することができる。実施形態では、本発明のドア装置を、販売機本体およびメインドアがいずれも、商品の収納部を有する自動販売機に適用した場合について説明したが、メインドアが商品の収納部を有していない自動販売機にも、もちろん適用することが可能である。また、そのようなメインドアにおいて、商品サンプルの交換やメンテナンスを行う際に開閉される商品ディスプレイの背面ドアを本発明の内ドアとして、本発明を適用することも可能である。
【００４０】
また、実施形態では、内ドア送出し機５１に回転自在の当接ローラ６１を用いたが、これに代えて、突出位置と後退位置の間で移動自在で、内ドア案内プレート５２に摺動可能な部材を採用することも可能である。
【００４１】
さらに、実施形態では、内ドア案内プレート５２として、ケース４の右側壁４ａの内面に対して傾斜した傾斜部７２ａを有するものを用いたが、傾斜部７２ａが傾斜せずに、ケース４の右側壁４ａの内面に沿って前後方向に延びる内ドア案内プレート５２を採用することも可能である。ただしこの場合には、内ドア送出し機５１の当接ローラ６１が、常に、内ドア用ヒンジ２３の回動軸２３ａよりも前方で、内ドア案内プレート５２に押圧された状態で当接するように、内ドア２４や内ドア送出し機５１などを構成する必要があり、そうすることにより、内ドア２４が内ドア案内プレート５２から受ける反力の分力を、内ドア２４の前方への送り出しに確保することができる。
【００４２】
さらにまた、実施形態で示した外ドア２２、内ドア２４、内ドア送出し機５１、および内ドア案内プレート５２の細部の構成などは、あくまで例示であり、本発明の趣旨の範囲内で適宜、変更することができる。
【符号の説明】
【００４３】
１  自動販売機
２  販売機本体
３  メインドア
４  ケース
４ａ  ケースの右側壁
８  前面ドア（内ドア閉鎖部）
２１  外ドア用ヒンジ
２１ａ  回動軸（第１軸線）
２２  外ドア
２３  内ドア用ヒンジ
２３ａ  回動軸（第２軸線）
２４  内ドア
４３  係止金具
４７  係止受け金具
５０  内ドア送出し機構（内ドア送出し手段）
５１  内ドア送出し機
５２  内ドア案内プレート（内ドア案内部）
６１  当接ローラ（可動部）
６２  ねじりコイルばね（付勢手段）
７２  案内部
７２ａ  傾斜部（傾斜面）
【図１】
2005222219.tif 000003
【図２】
2005222219.tif 000004
【図３】
2005222219.tif 000005
【図４】
2005222219.tif 000006
【図５】
2005222219.tif 000007
【図６】
2005222219.tif 000008
【図７】
2005222219.tif 000009
【図８】
2005222219.tif 000010
【図９】
2005222219.tif 000011
【図１０】
2005222219.tif 000012
【図１１】
2005222219.tif 000013